(57)【要約】【課題】ランプやカメラに異常が生じたときにもランプの適正な点灯制御を確保した車両用ランプの点灯制御装置を提供する。【解決手段】車両に搭載された複数のランプＬ−ＨＬ，Ｒ−ＨＬで構成されており、各ランプは所要領域を照明するランプユニット２と、当該所要領域を撮像する撮像手段４と、撮像した画像に基づいてランプユニット２を点灯制御するランプ制御手段５を備える。複数のランプのうち一つのランプが異常のときに、他のランプのランプ制御手段５により、複数のランプの正常な少なくとも一つのランプユニット２を点灯制御する。【選択図】  図３
2018086913.tif 000002
【特許請求の範囲】
【請求項１】
車両に搭載された複数のランプを備え、各ランプは所要領域を照明するランプユニットと、少なくとも当該所要領域を撮像する撮像手段と、前記撮像手段で撮像した画像に基づいて前記ランプユニットを点灯制御するランプ制御手段とを備え、前記複数のランプはそれぞれ独立して前記ランプユニットの点灯制御を行うことを特徴とする車両用ランプの点灯制御装置。
【請求項２】
前記複数のランプのうち一つのランプが異常のときに、他のランプのランプ制御手段により、前記複数のランプの正常な少なくとも一つのランプユニットを点灯制御する請求項１に記載の車両用ランプの点灯制御装置。
【請求項３】
前記ランプは、少なくとも自身のランプのランプユニット、撮像手段、ランプ制御手段の異常を検出する監視手段を備える請求項２に記載の車両用ランプの点灯制御装置。
【請求項４】
前記監視手段には、検出した異常を乗員に対して表示する異常表示手段が接続されている請求項３に記載の車両用ランプの点灯制御装置。
【請求項５】
前記異常なランプのランプ制御手段、又は前記正常なランプのランプ制御手段は、正常なランプの撮像手段で撮像した画像に基づいて前記異常なランプのランプユニットの点灯制御を行う請求項２ないし４のいずれかに記載の車両用ランプの点灯制御装置。
【請求項６】
前記複数のランプの各ランプ制御手段に車両制御手段が接続されており、前記車両制御手段は各ランプの監視手段の検出出力に基づいて前記各ランプ制御手段を制御する請求項３ないし５のいずれかに記載の車両用ランプの点灯制御装置。
【請求項７】
自動車に搭載された２つのヘッドランプを備え、それぞれ自動車の前方領域を照明するランプユニットと、当該前方領域を撮像するカメラと、前記カメラで撮像した画像に基づいて前記ランプユニットの配光を制御するランプ電子制御ユニットを備えており、一方のヘッドランプのランプユニット、カメラ、ランプ電子制御ユニットのいずれかが異常のときに、他方のヘッドランプのランプ電子制御ユニットにより前記２つのヘッドランプの正常な少なくとも一つのランプユニットを点灯制御することを特徴とする車両用ランプの点灯制御装置。
【発明の詳細な説明】
【技術分野】
【０００１】
本発明は車両用ランプの点灯状態を制御する装置に関し、特に車両の左右に設けられた一対のヘッドランプの配光を制御する装置として好適な車両用ランプの点灯制御装置に関するものである。
【背景技術】
【０００２】
自動車等の車両では、自動運転制御やヘッドランプの自動配光制御を実現するために、自動車にカメラ（撮像装置）を配設し、このカメラで自動車の前方領域で撮像し、撮像した画像を解析して前方領域に存在する対向車や先行車等の他車両を検出することが提案されている。例えば、自動車のヘッドランプ（前照灯）の配光を制御する技術として、ＡＤＢ（Adaptive Driving Beam）配光制御が提案されている。このＡＤＢ配光制御は、カメラで撮像した画像から検出した対向車や先行車等の他車両を眩惑することがないようにヘッドランプのハイビーム配光の配光パターンの一部を制御する技術である。
【０００３】
自動車の前方領域を撮像することを考えれば、カメラは自動車のフロントウインドウの内側の高い位置に配設することが好ましいが、ＡＤＢ配光制御に適用した場合には、ヘッドランプのランプ光軸と、カメラの撮像光軸との位置変位が大きくなり、高精度のＡＤＢ配光制御を実現することが難しくなる。そのため、特許文献１では、左右のヘッドランプのうち、一方のヘッドランプのランプハウジング内にカメラを内装した技術が提案されている。
【０００４】
特許文献１によれば、カメラ光軸がランプ光軸に近接されるため、カメラで撮像した画像から検出される他車両の方向、すなわち自車両から他車両を見たときの角度が、ヘッドランプから照射される光の角度に一致ないしほぼ一致することになり、ヘッドランプにおけるＡＤＢ配光制御を容易かつ高精度に行うことができる。
【先行技術文献】
【特許文献】
【０００５】
【特許文献１】特開２０１３−１４７１３８号公報
【発明の概要】
【発明が解決しようとする課題】
【０００６】
特許文献１の技術は、カメラを内装した一方のヘッドランプにおいてＡＤＢ配光制御を行う構成である。そのため、カメラに異常が生じたとき、あるいはカメラを内装している一方のヘッドランプに異常が生じたときには、高精度のＡＤＢ配光制御が実行できなくなる。また、カメラに異常が生じていなくても、ヘッドランプにおける汚れや傷等によって撮像した画像が不鮮明なものになり、他車両を正確に検出することができなくなり、高精度のＡＤＢ配光制御が難しくなる。
【０００７】
本発明の目的は、ランプやカメラに異常が生じたときにもランプにおける適正な点灯制御を確保することを可能にした車両用ランプの点灯制御装置を提供するものである。
【課題を解決するための手段】
【０００８】
本発明は、車両に搭載された複数のランプで構成されており、各ランプは所要領域を照明するランプユニットと、少なくとも当該所要領域を撮像する撮像手段と、この撮像手段で撮像した画像に基づいて前記ランプユニットを点灯制御するランプ制御手段とを備え、複数のランプはそれぞれ独立してランプユニットを点灯制御することを特徴とする。ここで、複数のランプのうち一つのランプが異常のときに、他のランプのランプ制御手段により、前記複数のランプの正常な少なくとも一つのランプユニットを点灯制御することが好ましい。
【０００９】
前記各ランプは、少なくとも自身のランプのランプユニット、撮像手段、ランプ制御手段の異常を検出する監視手段を備える。この、監視手段には、検出した異常を乗員に対して表示する異常表示手段が接続されていることが好ましい。また、異常なランプのランプ制御手段、又は前記正常なランプのランプ制御手段は、正常なランプの撮像手段で撮像した画像に基づいて当該異常なランプのランプユニットの点灯制御を行う構成としてもよい。
【発明の効果】
【００１０】
本発明によれば、正常時には複数のランプはそれぞれのランプ制御手段により独立してランプユニットの点灯が制御される。いずれかのランプにおいて異常が生じたときには、正常なランプのランプ制御手段により、正常なランプユニットの点灯を制御することが可能になり、高精度な配光での点灯制御が実現される。
【図面の簡単な説明】
【００１１】
【図１】本発明を適用した自動車の正面図。
【図２】図１の右ヘッドランプのII−II線に沿った拡大断面図。
【図３】左右ヘッドランプを含む点灯制御装置のブロック構成図。
【図４】メインランプユニットの配光を説明する模式図。
【図５】実施形態における点灯制御の基本フロー図。
【図６】撮像した画像での他車両検出の異常を説明する模式図。
【図７】他車両検出の異常の形態と、その表示、対応、点灯制御を示す図。
【発明を実施するための形態】
【００１２】
次に、本発明の実施の形態について図面を参照して説明する。図１は本発明を自動車のヘッドランプに適用した実施形態の正面図であり、自動車ＣＡＲの車体ＢＤの左右前部に左ヘッドランプＬ−ＨＬと右ヘッドランプＲ−ＨＬが取り付けられている。これら左右の各ヘッドランプＬ−ＨＬ，Ｒ−ＨＬは左右対称の構成であるので、以降は右ヘッドランプＲ−ＨＬで代表して説明する。
【００１３】
前記右ヘッドランプＲ−ＨＬは、ランプハウジング１内にメインランプユニット２とサブランプユニット３が配設され、さらに撮像手段としてのカメラ４が配設されている。ここでは、ランプハウジング１内の車幅方向の外側位置にメインランプユニット２が配設され、その内側にサブランプユニット３が配設され、さらにその内側にカメラ４が配設されている。
【００１４】
図２は前記右ヘッドランプＲ−ＨＬの水平方向の断面図であり、図１のII−II線に沿った拡大断面図である。前記ランプハウジング１は、前面領域が開口された容器状をしたランプボディ１１と、このランプボディ１１の当該開口を覆うように固定された透光カバー１２とで構成されている。この透光カバー１２は、透明な無色の樹脂によって所要形状に湾曲された板状に形成されており、前記メイン及びサブの各ランプユニット２，３から出射した光を透光して自動車の前方領域を照射させる。さらに、前記カメラ４は透光カバー１２を透して自動車の前方領域を撮像することが可能とされている。
【００１５】
前記ランプハウジング１内にはエクステンション１３が配設されており、このエクステンション１３によって当該ランプハウジング１の内部が図２の左側から順次メインランプ部、サブランプ部、カメラ部の各領域が画成されている。このエクステンション１３は表面にアルミニウム塗装あるいはアルミニウムめっきが施され、疑似リフレクタとして構成されている。
【００１６】
前記メインランプユニット２は、複数個の白色ＬＥＤ（発光ダイオード）２１を光源とし、これら白色ＬＥＤ２１で発光した白色光をリフレクタ２２で反射し、この反射光を投影レンズ２３により自動車の前方に投影して照明を行うプロジェクタ型のランプユニットとして構成されている。後述するように、複数の白色ＬＥＤ２１を選択して発光させることにより、メインランプユニットの配光をハイビーム配光とロービーム配光に切り替えて制御することが可能とされている。さらに、同様にしてハイビーム配光の配光パターンの一部領域を選択的に照明しなくするＡＤＢ配光での制御も可能とされている。
【００１７】
前記サブランプユニット３は、ここではクリアランスランプとして構成されている。このクリアランスランプ３は、白色ＬＥＤ３１を光源とし、この白色ＬＥＤ３１で発光した白色光をリフレクタ３２で反射し、このリフレクタ３２の前側に配置されたインナーレンズ３３によって自動車の前に所要の配光パターンで照明するリフレクタ型のランプユニットとして構成されている。
【００１８】
前記カメラ４は、ＣＣＤ撮像素子やＣＭＯＳ撮像素子を備えるカメラとして構成されている。このカメラ４は前記エクステンション１３の後面側に配設されており、ヘッドランプＲ−ＨＬの前方から透光カバー１２を透して見たときに、外部からは観察できないようにされている。カメラ４のレンズ鏡筒４１はエクステンション１３に設けた開口窓１３１に臨む位置に配置されており、この開口窓１３１を透して自動車の前方領域を撮像することが可能である。
【００１９】
さらに、前記ランプハウジング１内には、前記エクステンション１３によって外部に露見されない位置にランプＥＣＵ（ランプ電子制御ユニット）５が配設されている。これによりランプの意匠性が保持される。このランプＥＣＵ５は、後述するように前記メインランプユニット２、サブランプユニット３、カメラ４にそれぞれ電気的に接続されており、特にカメラ４で撮像した画像に基づいてメインランプユニット２及びサブランプユニット３の点灯状態をＡＤＢ配光制御するようになっている。
【００２０】
図３は前記左右のヘッドランプＬ−ＨＬ，Ｒ−ＨＬのブロック構成図である。なお、左ヘッドランプＬ−ＨＬについては、一部の構成を簡略図示している。前記ランプＥＣＵ５は、メインランプ制御部５１、サブランプ制御部５２、カメラ制御部５３、監視部５４を備えている。メインランプ制御部５１はメインランプユニット２の点消灯制御と、ハイビーム／ロービームの配光制御と、ＡＤＢ配光制御を実行する。サブランプ制御部５２は、サブランプユニット３の点消灯を制御する。
【００２１】
前記カメラ制御部５３は、カメラ４で撮像して得られた画像を解析して自動車の前方に存在する他車両、すなわち対向車と先行車を検出する他車両検出部５３１を備えている。また、当該カメラ制御部５３は、カメラ４での撮像に係わる制御、例えば撮像タイミングの制御や撮像した画像の取込動作等を制御する。
【００２２】
前記メインランプ制御部５１は、検出された他車両に対応した適切な配光を設定するための配光設定部５１１と、設定された配光に基づいて後述するようにメインランプユニット２の複数の白色ＬＥＤ２１の点消灯を制御する点灯制御部５１２を備えている。
【００２３】
前記監視部５４はそれぞれのヘッドランプを監視し、異常を検出したときに異常信号を出力する。この監視部５４は自身を含むランプＥＣＵ５の異常を検出することも可能であり、すなわちメインランプ制御部５１、サブランプ制御部５２、カメラ制御部５３での異常を検出する。メインランプ制御部５１とサブランプ制御部５２の監視については、メインランプユニット２とサブランプユニット３が正常に点灯されない状態を異常として検出する。また、その場合に異常の原因を検出する。
【００２４】
カメラ制御部５３についての監視については、カメラ４の異常と、撮像した画像における異常を検出する。前者はカメラ４において正常な撮像が行われない状態を異常として検出する。後者はカメラ４で撮像してカメラ制御部５３で取得された画像を解析し、他車両を正確に検出できない状態であることを異常として検出する。例えば、撮像した画像から透光カバー１２の外面に生じた付着物や傷を検出したときに、これらの付着物や傷により他車両が正常に検出されない状態である。その上で、前記監視部５４は、これらの異常を検出したときに異常信号を出力する。
【００２５】
前記した右ヘッドランプＲ−ＨＬと左ヘッドランプＬ−ＨＬは、図３のようにバスラインＢＬを介して自動車ＣＡＲに設けられて当該自動車ＣＡＲの走行に係わる総合的な制御を行うための車両ＥＣＵ（車両電子制御ユニット）６に接続されている。すなわち、左右の各ヘッドランプＬ−ＨＬ，Ｒ−ＨＬのランプＥＣＵ５はそれぞれバスラインＢＬに接続され、また前記車両ＥＣＵ６もバスラインＢＬに接続され、このバスラインＢＬを介してランプＥＣＵ５と車両ＥＣＵ６との間で相互に信号を入出力する構成とされている。このバスラインＢＬとしては、自動車に装備されているＣＡＮ（Controller Area Network）あるいはＬＩＮ（Local Interconnect Network）を利用することができる。
【００２６】
また、自動車ＣＡＲの車室内には、乗員に各種情報を報知するためのモニター７が配置されており、このモニター７は前記バスラインＢＬに接続されている。このモニター７は、ヘッドランプに異常が生じたときに異常を表示し、さらに乗員に対して異常を解消し、あるいは異常に対処するための対応を報知するようになっている。このモニター７はナビゲーション装置の表示パネルで構成されてもよい。さらに、前記バスラインＢＬには、イグニッションスイッチ８とランプスイッチ９が接続されている。イグニッションスイッチ８がオンされたときに車両ＥＣＵ６が駆動される。また、ランプスイッチ９がオンされたときに左右のヘッドランプＬ−ＨＬ，Ｒ−ＨＬが点灯され、かつその点灯制御が実行される。
【００２７】
以上の構成によれば、左右の各ヘッドランプＬ−ＨＬ，Ｒ−ＨＬ（以下、両ヘッドランプを総称してヘッドランプと称することがある）においては、ランプスイッチ９がオンされるとヘッドランプが点灯するとともに、それぞれのランプＥＣＵ５によりランプユニット２，３が点灯され、同時に監視部５４において自身のヘッドランプを監視する。異常が検出されないときには、ランプＥＣＵ５のメインランプ制御部５１とサブランプ制御部５２がそれぞれメインランプユニット２とサブランプユニット３の点灯を制御する。
【００２８】
図４に示すように、メインランプユニット２の光源を構成している複数の白色ＬＥＤ２１は４個の第１列ＬＥＤ２１ａと、６個の第２列のＬＥＤ２１ｂの２列に配列されている。各白色ＬＥＤ２１（２１ａ，２１ｂ）の光が投影レンズ２３により投影される照明領域は、図４の上部の配光パターンにおける各枡目領域に対応している。メインランプ制御部５１によるメインランプユニット２の点灯制御においては、ランプＥＣＵ５の点灯制御部５１２において第１列ＬＥＤ２１ａを発光したときには、図４に点描したロービーム配光が得られる。また、第１列と第２列ＬＥＤ２１ａ，２１ｂを発光したときには図４の点描画とチェック描画した照明領域を含めたハイビーム配光が得られる。
【００２９】
ＡＤＢ配光制御においては、カメラ４で撮像した画像に基づいて他車両検出部５３１において他車両を検出する。他車両を検出したときには、点灯制御部５１２は全白色ＬＥＤ２１（２１ａ，２１ｂ）のうち、当該他車両に対応する白色ＬＥＤを除く他の白色ＬＥＤを選択的に発光する。図４の例では、対向車ＣＡＲ１に対しては領域ＰＯに対応する白色ＬＥＤを消灯し、他の白色ＬＥＤを発光する。先行車ＣＡＲ２に対しては領域ＰＢに対応する白色ＬＥＤを消灯し、他の白色ＬＥＤを発光する。これにより、これら他車両ＣＡＲ１，ＣＡＲ２を眩惑することがなく自車両の前方領域を可及的に明るく照明するＡＤＢ配光が得られる。
【００３０】
これらの点灯制御は、左右のヘッドランプＬ−ＨＬ，Ｒ−ＨＬにおいてそれぞれ独立して行われる。すなわち、左右のヘッドランプＬ−ＨＬ，Ｒ−ＨＬのカメラ４は略同じ画像を撮像することになるので、左右のヘッドランプＬ−ＨＬ，Ｒ−ＨＬにおける点灯制御も基本的には同じ制御となる。特に、各ヘッドランプＬ−ＨＬ，Ｒ−ＨＬにおいてそれぞれ独立してＡＤＢ配光制御を実行することにより、仮に一方のヘッドランプにおけるＡＤＢ配光制御の精度が低下されているような場合、あるいは一方のヘッドランプにおけるＡＤＢ配光制御が実行不能になった場合でも、他方のヘッドランプによって車両全体のＡＤＢ配光制御を確保することが可能になる。
【００３１】
また、この実施形態では、複数のヘッドランプのうち一つのヘッドランプが異常のときに、他のヘッドランプのランプＥＣＵにより正常なランプユニット２，３を点灯制御する。すなわち、左右のヘッドランプＬ−ＨＬ，Ｒ−ＨＬのうち、一方のヘッドランプのランプユニット２，３、カメラ４、ランプＥＣＵ５のいずれかが異常のときに、車両ＥＣＵ６、あるいは他方のヘッドランプのランプＥＣＵ５により、異常なヘッドランプあるいは正常なヘッドランプを含めて、正常なランプユニットの少なくとも一つを点灯制御する。この点灯制御の一例を次に説明する。
【００３２】
図５は実施形態における点灯制御の基本的なフローチャートである。各ヘッドランプにおいては、ランプＥＣＵ５の監視部５４が自身のヘッドランプの異常を監視する（Ｓ１１）。異常を検出すると、その異常の箇所を検出し、その検出信号をバスラインＢＬに出力する（Ｓ１２）。ここでは、異常として次の（ａ）〜（ｃ）の異常形態を判別している。
（ａ）メインとサブのランプユニット異常
（ｂ）ランプＥＣＵの異常
（ｃ）カメラの異常
【００３３】
ここで、異常形態（ａ）の場合には、次の異常形態（ａ１），（ａ２）を判別している（Ｓ１３）。
（ａ１）メインランプユニット、サブランプユニット自体の異常
（ａ２）ランプＥＣＵと各ランプユニットの接続異常（断線）
【００３４】
異常形態（ｃ）の場合には、次の異常形態（ｃ１），（ｃ２）を判別している（Ｓ１４）。
（ｃ１）カメラでの撮像異常
（ｃ２）他車両の検出異常
さらに、異常形態（ｃ１）の場合には、次の異常形態（ｃ１−１），（ｃ１−２）を判別している（Ｓ１５）。
（ｃ１−１）カメラ自体の異常
（ｃ１−２）カメラとランプＥＣＵの接続異常（断線）
【００３５】
車両ＥＣＵ６は、監視部５４において検出したこれら異常形態（ａ）〜（ｃ）の検出信号をバスラインＢＬを通して取得すると、モニター７に異常を表示する（Ｓ１６）。このとき、異常形態についても報知するとともに、この異常を解消するため、あるいは異常に対処するための好ましい対応を合せて報知する。
【００３６】
これと同時に、車両ＥＣＵ６あるいはランプＥＣＵ５は、異常が生じているヘッドランプ（以下、異常ヘッドランプと称する）に対してフェイルセーフとしての点灯制御ＦＳを実行する（Ｓ１７）。このステップＳ１７における点灯制御ＦＳは異常の形態の違いによりＦＳ−ａ〜ＦＳ−ｃであり、以下各別に説明する。
【００３７】
（ａ）メインとサブのランプユニットの点灯異常
（ａ１）メインランプユニット又はサブランプユニット自体の異常
この異常形態は、光源としての白色ＬＥＤ２１が破損する等してランプユニット２，３が全く点灯しない形態であり、ランプユニット２，３を修理又は交換しない限り復旧できない。車両ＥＣＵ６はモニター７に異常ヘッドランプ及び異常のランプユニットを表示するとともに、当該ヘッドランプないしランプユニットを修理又は交換する必要があることを報知する。
【００３８】
これと同時に、車両ＥＣＵ６は点灯制御ＦＳ−ａ１を実行する。すなわち、異常ヘッドランプにおいて、メインランプユニット２とサブランプユニット３のうちいずれか一方が正常なときには、正常なランプユニットを点灯させる。このとき、メインランプユニット２が正常であれば、ランプＥＣＵ５により通常のロービーム配光、ハイビーム配光、ＡＤＢ配光の各制御を実行する。メインランプユニット２が異常のときには、サブランプユニット３のみを点灯制御する。
【００３９】
両ランプユニット２，３が全く点灯しないとき、あるいはサブランプユニット３のみが正常のときには、車両ＥＣＵ６は他方のヘッドランプが正常であることを確認すると、正常なヘッドランプ（以下、正常ヘッドランプと称する）のランプＥＣＵ５において正常ヘッドランプの光量を増光させる。これにより自動車全体のヘッドランプの光量低下を補填し、安全性を高めるようにする。例えば、正常ヘッドランプにおいてメインランプユニット２が点灯しているがサブランプユニット３が消灯しているときには、サブランプユニット３を点灯する。また、メインランプユニット２がロービーム配光で点灯しているときにはハイビーム配光制御又はＡＤＢ配光制御を実行する。
【００４０】
（ａ２）ランプユニットとランプＥＣＵの接続異常（断線）
この異常形態は、ランプユニット２，３とランプＥＣＵ５を接続する配線が断線したような形態であり、これらランプユニット２，３とランプＥＣＵ５の接続を修理しない限り復旧できない。車両ＥＣＵ６はモニター７に異常ヘッドランプの接続部位が異常であることを表示するとともに、当該部位を修理する必要があることを報知する。
【００４１】
これと同時に車両用ＥＣＵ６は点灯制御ＦＳ−ａ２を実行する。例えば、異常ヘッドランプにおいてメインランプユニット２とサブランプユニット３のいずれか一方の接続が正常である場合には、メインランプユニット２とサブランプユニット３のうち、正常に接続されているランプユニットを点灯させる。
【００４２】
両ランプユニット２，３の接続が共に異常のときには、異常形態（ａ１）の場合と同様に、車両ＥＣＵ６は正常ヘッドランプのランプＥＣＵ５により正常ヘッドランプの光量を増量して自動車全体のヘッドランプの光量低下を補填する。
【００４３】
（ｂ）ランプＥＣＵの異常
この異常形態は、ランプＥＣＵ５を構成している各部５１〜５３のいずれかあるいは全体に障害が生じている形態であり、これら各部やランプＥＣＵ５の全体を修理または交換する必要がある形態である。車両ＥＣＵ６はモニター７に異常ヘッドランプとそのランプＥＣＵ５が異常であることを表示するとともに、当該ランプＥＣＵ５を修理又は交換する必要があることを報知する。
【００４４】
また、車両ＥＣＵは点灯制御ＦＳ−ｂを実行する。すなわち、異常なランプＥＣＵ５の異常形態を精査し、メインランプ制御部５１又はサブランプ制御部５２のいずれかが正常である場合には、正常なランプ制御部５１又は５２によりメインランプユニット２又はサブランプユニット３を点灯する。ここで、メインランプ制御部５１が異常の場合には、メインランプユニット２がハイビーム配光でフリーズしてしまうことを回避するために、メインランプユニット２は消灯する。あるいは、可能な場合にはロービーム配光に固定する点灯制御を実行する。
【００４５】
異常のランプＥＣＵ５においてメインランプ制御部５１とサブランプ制御部５２が両方とも異常の場合には、車両ＥＣＵ６は正常ヘッドランプのランプＥＣＵ５から出力される点灯制御信号をバスラインＢＬを介して異常ヘッドランプに出力する。これにより、異常ヘッドランプのメインランプユニット２とサブランプユニット３は、入力された正常ヘッドランプのランプＥＣＵ５からの点灯制御信号によって点灯制御される。
【００４６】
例えば、異常ヘッドランプのメインランプユニット２は、正常ランプＥＣＵ５のメインランプ制御部５１から出力される点灯制御信号により点灯が制御される。異常ヘッドランプのサブランプユニット３は、正常ヘッドランプのランプＥＣＵ５のサブランプ制御部５２から出力される点灯制御信号により点灯が制御される。
【００４７】
ここで、メインランプ制御部５１が正常であるがカメラ制御部５３に異常が生じているときには、点灯制御ＦＳ−ｂとして、後述する異常形態（ｃ）の他車両が検出できない異常形態（ｃ２）と同じ点灯制御ＦＳ−ｃ２を実行することになるので、ここでの説明は省略する。
【００４８】
以上において、点灯制御ＦＳ−ａ１とＦＳ−ｂを行うことが難しい場合には、車両ＥＣＵ６は異常ヘッドランプのメインランプユニット２を強制的にロービーム配光に制御するようにしてもよい。あるいはサブランプユニット３を強制的に点灯する制御を行ってもよい。
【００４９】
（ｃ１）カメラでの撮像異常
（ｃ１−１）カメラ自体の異常
この異常形態は、カメラ４から撮像した画像（画像信号）が出力されない形態である。この場合にはカメラ４を修理あるいは交換しない限り復旧できない。車両ＥＣＵ６はモニター７に異常ヘッドランプのカメラ４の異常を表示するとともに、当該カメラ４を修理又は交換する必要があることを報知する。
【００５０】
この異常形態においては、車両ＥＣＵ６の点灯制御ＦＳ−ｃ１−１は、正常ヘッドランプのカメラ４で撮像されてランプＥＣＵ５のカメラ制御部５３から出力される画像を、バスラインＢＬを介して異常ヘッドランプのランプＥＣＵ５に出力する。異常ヘッドランプのランプＥＣＵ５はメインランプ制御部５１によりメインランプユニット２点灯制御するこの場合に、正常ヘッドランプのランプＥＣＵ５のメインランプ制御部５３から出力される点灯制御信号は、車両ＥＣＵ６を介することなくバスラインＢＬから直接異常ヘッドランプのメインランプ制御部５１に出力して点灯制御するようにしてもよい。
【００５１】
（ｃ１−２）カメラとランプＥＣＵの接続異常
この異常形態は、カメラ４とランプＥＣＵ５を接続する配線が断線したような形態であり、これらカメラ４とランプＥＣＵ５の接続を修理しない限り復旧できない。車両ＥＣＵ６はモニター７に異常ヘッドランプとその異常部位を表示するとともに、その接続を修理する必要があることを報知する。
【００５２】
車両ＥＣＵ６は、前記点灯制御ＦＳ−ｃ１−１と同様な点灯制御ＦＳ−ｃ１−２を実行する。すなわち、正常ヘッドランプのカメラ４で撮像されてランプＥＣＵ５のカメラ制御部５３から出力される画像を、バスラインＢＬを介して異常ヘッドランプのランプＥＣＵ５に出力する。これにより、異常ヘッドランプのランプＥＣＵ５はメインランプ制御部５３によりメインランプユニット２を点灯制御する。
【００５３】
（ｃ２）他車両の検出異常
この異常形態は、カメラ４が正常で撮像は可能であり、カメラＥＣＵ５も正常で、撮像した画像をカメラ制御部５３から出力できるが、カメラ制御部５３の他車両検出部５３１において、画像から他車両を高い精度で検出できない場合である。この異常の原因は、カメラ４が内装されているランプハウジング１の透光カバー１２の外面（表面）に付着物や傷が存在しており、これら付着物や傷によって撮像した画像を画像解析しても他車両を検出することが困難になることである。
【００５４】
すなわち、図２に示したように、カメラ４においては、透光カバー１２を透して自動車の前方領域を撮像する。このとき、透光カバー１２の外面の一部領域、特にカメラ４の撮像画角の範囲、すなわち撮像領域に付着物や傷が存在していると、撮像した画像には付着物や傷の画像が写し込まれることになる。例えば、図６（ａ）のように、透光カバー１２の撮像領域ＣＡ内に付着物Ｘ１と傷Ｘ２が存在していると、カメラ４で撮像した画像には、図６（ｂ）のように、付着物Ｘ１と傷Ｘ２の画像、あるいはこれらのぼやけた画像が写し込まれる。そのため、撮像された画像中に存在する他車両ＣＡＲ１，ＣＡＲ２に、これら付着物Ｘ１と傷Ｘ２の画像が重なると、画像解析による他車両の検出精度が低下され、結果として配光制御の精度も低下してしまう。
【００５５】
ここで、付着物の形態としては、大きく分けると、（ｐ）水滴と、（ｑ）泥や虫等、である。前者の水滴は、透光カバー１２の表面に付着した雨等の水滴や、ランプハウジング１内での水蒸気によって透光カバー１２の内面に生じた結露による水滴である。一方、傷の形態として、透光カバー１２の表面に生じたこすり傷や透光カバー１２の一部における割れや破損等があるが、これらは基本的には同じであるので、ここでは、（ｒ）傷等として一つにまとめている。
【００５６】
監視部５４では、これら付着物や傷等の判別を行うが、例えば図７の表にまとめているように、撮像した画像に基づいて判別する。（ｐ）水滴が付着した場合には、夜間においてホワイトアウト（ハレーション）を起こしている光点が一時的に出現し、継続して短時間（数秒〜数分）だけ同じ位置に停滞していることで判別する。また、（ｑ）泥や虫等が付着した場合には、昼間時には撮像した画像の形状やエッジのぼけ具合で判断する。夜間時は、車両や外乱光の一時的な消失が常に同じ場所で発生することで判別する。
【００５７】
一方、（ｒ）傷等の場合は、自動車の走行中に撮像した画像が一定の位置に長い時間にわたって存在しており、しかも他の画像が当該位置にまで移動されたときにその形状が判別できなくなることで判別する。
【００５８】
これらの異常形態に対する車両ＥＣＵ６が行う異常の表示とその対応は、（ｐ）水滴が付着している場合には、モニター７に水滴が付着していることを表示する。この場合、特に対応は報知しなくてもよい。これは、時間の経過によって水滴が除去される可能性が高いためである。表示を見た乗員はモニター７の表示を見て手操作によって水滴を除去してもよい。あるいは、エアクリーナ搭載ヘッドランプの場合には、エアクリーナを手動又は自動で駆動して水滴を除去してもよい。
【００５９】
（ｑ）泥や虫等が付着している場合には、車両ＥＣＵ６はモニター７に泥や虫等が付着していることを表示する。また、これと同時に付着物を除去するように報知する。乗員はモニター７の表示を見て手操作によって透光カバー１２の表面を洗浄し、泥や虫等を除去する。
【００６０】
（ｒ）傷等の場合には、車両ＥＣＵ６はモニター７に傷等が生じていること、およびその傷等の位置を表示する。また、これと同時に対象となるヘッドランプを修理あるいは交換する必要があることを報知する。乗員はモニター７の表示を見て透光カバー１２に生じている傷等を補修し、あるいは新品と交換する。
【００６１】
このように、他車両検出部５３１において、付着物や傷等によって、撮像した画像から他車両が検出できない異常の場合には、車両ＥＣＵ６はモニター７に異常を表示すると同時に、好ましい対応を報知することにより、異常状態を改善し、以降は正常なランプ制御が実現できるようになる。この異常状態が改善されない状況では、車両ＥＣＵ６は点灯制御ＦＳ−ｃ２を行う。
【００６２】
すなわち、車両ＥＣＵ６は、異常ヘッドランプについては、そのランプＥＣＵ５によりメインランプユニット２を強制的にロービーム配光に制御する。これによりハイビーム配光とＡＤＢ配光制御による他車両への眩惑を防止する。サブランプユニット３については特に制御は行わず、点灯あるいは消灯の正常時の状態を保持する。この制御は、特に、左右両方のヘッドランプの他車両検出部５３１において他車両が検出できない異常となった場合に実行される。
【００６３】
左右いずれか一方のヘッドランプでの他車両検出が異常とされたとき、車両ＥＣＵ６は正常ヘッドランプのランプＥＣＵ５からの点灯制御信号、すなわち正常ヘッドランプのカメラ４で撮像された画像から他車両検出部５３１において他車両が検出され、この他車両に対して適正なハイビーム配光の制御とＡＤＢ配光制御を行う点灯制御信号が出力されるときには、この点灯制御信号を異常ヘッドランプに出力し、異常ヘッドランプのメインランプユニット２を点灯制御する。これにより、異常ヘッドランプにおいても、好適なメインランプユニット２の点灯制御、特にハイビーム配光の制御とＡＤＢ配光制御が実現できる。
【００６４】
ここで、点灯制御ＦＳ−ｃ２の変形形態として、車両ＥＣＵ６は正常ヘッドランプのカメラ４で撮像された画像をそのまま異常ヘッドランプのランプＥＣＵ５に出力してもよい。この異常ヘッドランプのランプＥＣＵ５では、異常ヘッドランプのカメラ４で撮像した画像を、正常ヘッドランプから出力されてきた画像で補間処理を行う。すなわち、他車両を検出することが困難な付着部や傷等が撮像されている部分を、正常ヘッドランプからの画像の当該部分で置換する処理である。そして、この補間処理された画像に基づいて異常ヘッドランプの他車両検出部５３１において他車両を検出するようにする。これにより、異常ヘッドランプにおいても、自身のランプＥＣＵ５による点灯制御が可能になる。
【００６５】
この画像の補間は、付着物や傷等によって画像が不鮮明になる領域の割合が、全画面の５０％以下の場合に有効である。不鮮明の領域がこれ以上の割合のときには、補間の信頼性が低下するので、正常ヘッドランプのランプＥＣＵ５に基づく点灯制御が好ましい。
【００６６】
なお、透光カバーに生じている付着物や傷による異常に対して有効な手法として、透光カバーの表面に保護カバーを配設しておくことが考えられる。例えば、透光カバーの表面に透明な樹脂フィルムを粘着剤により配設する。この樹脂フィルムを設けておくことにより、付着物や傷が生じたときには、樹脂フィルムを剥がして新品の樹脂フィルムを貼り直すことにより、付着物や傷を除去でき、カメラによる他車両の検出の精度を高めることができる。
【００６７】
実施形態では、車両ＥＣＵにおいて、異常をモニターに表示し、その際の対応を報知し、さらにランプの点灯制御を行うように構成したが、各ランプに設けているランプＥＣＵの監視部によってこれら異常の表示、報知、点灯制御を行うように構成してもよい。本発明における異常を表示するモニターは、必ずしも視覚的な表示を行うものに限られるのではなく、音響、振動等によって異常を表出する形態であればよい。これは異常に対する対応の報知も同様であり、音声等による報知であってもよい。
【００６８】
本発明における異常の検出は、必ずしもランプＥＣＵにおける監視部が自身のランプを監視するのではなく、複数のランプのランプＥＣＵはそれぞれの監視部が他のランプの異常を検出するように構成してもよい。
【００６９】
本発明における異常に対するフェイルセーフとしの点灯制御は、車両ＥＣＵを介して実行するのではなく、正常ランプのランプＥＣＵが異常ランプを直接的に点灯制御するように構成してもよい。
【００７０】
本発明はヘッドランプに限られるものではなく、点灯状態、特に照明に際しての配光を制御する構成の照明用ランプであれば適用できる。また、ランプ数は３つ以上で構成されてもよく、そのうちの一つのランプが正常であれば、他の異常のランプを点灯制御することができるようになる。
【符号の説明】
【００７１】
１  ランプハウジング
２  メインランプユニット
３  サブランプユニット
４  カメラ（撮像手段）
５  ランプＥＣＵ（ランプ電子制御ユニット）
６  車両ＥＣＵ（車両電子制御ユニット）
７  モニター
８  イグニッションスイッチ
９  ランプスイッチ
５１  メインランプ制御部
５２  サブランプ制御部
５３  カメラ制御部
５４  監視部
５１１  配光設定部
５１２  点灯制御部
５３１  他車両検出部
Ｌ−ＨＬ，Ｒ−ＨＬ  ヘッドランプ（照明用のランプ）
ＢＬ  バスライン
ＣＡ  画像
Ｘ１  付着物
Ｘ２  傷
【図１】
2018086913.tif 000003
【図２】
2018086913.tif 000004
【図３】
2018086913.tif 000005
【図４】
2018086913.tif 000006
【図５】
2018086913.tif 000007
【図６】
2018086913.tif 000008
【図７】
2018086913.tif 000009